(57)【要約】【課題】本発明は、水洗便器装置からの異臭を防止する便器装置および便器装置からの異臭発生防止方法に関するものである。【解決手段】本発明は、便器装置が工場で作製された後、熱収縮性樹脂フィルムの成形品が被せられる。前記熱収縮性樹脂フィルムは、前記便器装置の上部と密着するように、たとえば、熱風ガンによって所望の場所に熱が加えられる。前記加熱により、前記熱収縮性樹脂フィルムと便器装置の上面とは、密着した状態になっているため、長期間にわたって、設置の際に試験を行った水が蒸発することなく残り、他の家または排水管からの臭いを防止することができる。【選択図】図２
2010150893.tif 000002
【特許請求の範囲】
【請求項１】
汚水排出管からの臭いを遮断するトラップ排水部に連接されているボウル部に貯えられている水を乾燥させない便器装置において、
便器の上部形状より大きめに成形された熱収縮性樹脂フィルムと、
前記熱収縮性樹脂フィルムを前記便器の上部に被せた状態で、熱が加えられることにより、前記熱収縮性樹脂フィルムと便器の上面とが密着した状態になっていることを特徴とする便器装置。
【請求項２】
前記熱収縮性樹脂フィルムは、フッ素系樹脂フィルム、シリコン系樹脂フィルム、ポリエチレン系樹脂フィルム、あるいは、ポリエステル系樹脂フィルムのいずれかであることを特徴とする請求項１に記載された便器装置。
【請求項３】
前記熱収縮性樹脂フィルムの一部には、熱溶融性樹脂フィルムが積層されて設けられていることを特徴とする請求項１または請求項２に記載された便器装置。
【請求項４】
前記熱溶融性樹脂フィルムは、ポリエチレン樹脂系フィルム、ポリプロピレン系樹脂フィルム、あるいは、ポリアミド系樹脂フィルムの少なくとも一つであることを特徴とする請求項３に記載された便器装置。
【請求項５】
熱収縮性樹脂フィルムが便器装置の上部を覆うことができる形状より大きめに成形する工程と、
前記便器装置を作製する工程と、
前記便器装置の上部に前記熱収縮性樹脂フィルムを被せる工程と、
前記便器装置における所定位置で、かつ、前記熱収縮性樹脂フィルムの上から熱を加える工程と、
前記便器装置を住宅に設置する工程と、
前記便器装置に対して水を流して試験を行う工程と、
前記便器装置の使用開始前に前記熱収縮性樹脂フィルムを外す工程と、
から構成されていることを特徴とする便器装置からの異臭発生防止方法。
【発明の詳細な説明】
【技術分野】
【０００１】
本発明は、水洗便器装置からの異臭を防止する便器装置および便器装置からの異臭発生防止方法に関するものである。本明細書および特許請求の範囲において、「便器装置」は、水洗便器装置のことを指している。
【背景技術】
【０００２】
従来、たとえば、特開２００４−１６２５０５号公報に記載された便器装置は、便器の内部に汚物が付着するのを防止している。また、特開２００８−９５３９６号公報に記載されている便器装置は、カバーの着脱を容易にしたものである。
【特許文献１】特開２００４−１６２５０５号公報
【特許文献２】特開２００８−９５３９６号公報
【発明の開示】
【発明が解決しようとする課題】
【０００３】
近年、景気の低迷により、戸建住宅または集合住宅は、完売になることが少なくなって来た。前記住宅に設置される便器装置は、汚水排出管を介して、他の部屋または他の住宅等に接続されている。また、前記便器装置は、便または尿等を一時的に貯めるボウル部がある。前記ボウル部は、トラップ排水部を介して汚水排出管に通じている。
【０００４】
前記便器装置は、前記戸建住宅または集合住宅に設置された後、売れない場合、あるいは、何らかの理由により長期間使用されない場合がある。前記のような場合、前記便器装置は、前記ボウル部における水が蒸発することにより、前記トラップ排水部の役目が果たさなくなり、他の住宅の汚水排出管と直接通じてしまい、下水管または隣家の汚水排出管からの臭いを遮断することができなくなるという問題が発生する。
【０００５】
以上のような課題を解決するために、本発明は、便器装置を住宅に設置した後、長期間にわたって使用されない場合であっても、ボウル部から排水トラップ部にかけての水が蒸発することなく、常に、貯えられているようにしたため、隣家または排水管からの臭いが逆流することがない便器装置および便器装置からの異臭発生防止方法を提供することを目的とする。
【課題を解決するための手段】
【０００６】
（第１発明）
第１発明の便器装置は、汚水排出管からの臭いを遮断するトラップ排水部に連接されているボウル部に貯えられている水を乾燥させないようにしたものであり、便器の上部形状より大きめに成形された熱収縮性樹脂フィルムと、前記熱収縮性樹脂フィルムを前記便器の上部に被せた状態で、熱が加えられることにより、前記熱収縮性樹脂フィルムと便器の上面とが密着した状態になっていることを特徴とする。
【０００７】
（第２発明）
第２発明の便器装置において、第１発明の熱収縮性樹脂フィルムは、フッ素系樹脂フィルム、シリコン系樹脂フィルム、ポリエチレン系樹脂フィルム、あるいは、ポリエステル系樹脂フィルムのいずれかであることを特徴とする。
【０００８】
（第３発明）
第３発明の便器装置において、第１発明または第２発明における熱収縮性樹脂フィルムの一部には、熱溶融性樹脂フィルムが積層されて設けられていることを特徴とする。
【０００９】
（第４発明）
第４発明の便器装置において、第３発明の熱溶融性樹脂フィルムは、ポリエチレン樹脂系フィルム、ポリプロピレン系樹脂フィルム、あるいは、ポリアミド系樹脂フィルムの少なくとも一つであることを特徴とする。
【００１０】
（第５発明）
第５発明における便器装置からの異臭発生防止方法は、熱収縮性樹脂フィルムが便器装置の上部を覆うことができる形状より大きめに成形する工程と、前記便器装置を作製する工程と、前記便器装置の上部に前記熱収縮性樹脂フィルムを被せる工程と、前記便器装置における所定位置で、かつ、前記熱収縮性樹脂フィルムの上から熱を加える工程と、前記便器装置を住宅に設置する工程と、前記便器装置に対して水を流して試験を行う工程と、前記便器装置の使用開始前に前記熱収縮性樹脂フィルムを外す工程とから構成されていることを特徴とする。
【発明の効果】
【００１１】
本発明によれば、熱収縮性樹脂フィルムが便器装置の上面と密着した状態になっているため、長期間にわたって使用しない場合であっても、設置の際に試験を行った際の水が蒸発することなく残っており、他の家または排水管からの臭いを防止することができる。
【００１２】
本発明によれば、便器装置と熱収縮性樹脂フィルムとの間に設けられた熱溶融性樹脂フィルムにより、密閉度を向上させることができるため、長期間にわたって使用しない場合であっても、便器装置におけるボウル部内の水が蒸発することなく、他の家または汚水排水管からの臭いを防止することができる。
【００１３】
本発明によれば、熱収縮性樹脂フィルムと便器装置の間に熱溶融性樹脂フィルムまたは接着剤を配置したため、前記両者の密封が向上するとともに、熱収縮性樹脂フィルムを容易に取り剥がすことができる。
【００１４】
本発明によれば、長期間人が住まなかった住宅が、販売された後、便器装置を覆っている熱収縮性樹脂フィルムを外した際に、トラップ内の水が蒸発することがないため、汚水排出管等からの異臭が出ない。
【発明を実施するための最良の形態】
【００１５】
（第１発明）
第１発明の便器装置は、設置した後、長期間にわたって使用されない場合であっても、ボウル部から排水トラップ部にかけて水が乾燥することなく、貯えられているため、隣家または排水管からの臭いが逆流することがないものである。まず、熱収縮性樹脂フィルムは、前記便器装置の上部を覆う、やや大きめの形状に成形される。
【００１６】
前記便器装置は、工場で作製された後、前記熱収縮性樹脂フィルムの成形品が被せられる。前記熱収縮性樹脂フィルムは、前記便器装置の上部と密着するように、たとえば、熱風ガンによって所望の場所に熱が加えられる。前記加熱により、前記熱収縮性樹脂フィルムは、収縮して便器装置の上面と密着した状態になるため、長期間にわたって、設置の際に試験を行った水が蒸発することなく残り、他の家または排水管からの臭いを防止することができる。
【００１７】
（第２発明）
第２発明の便器装置を覆う熱収縮性樹脂フィルムは、フッ素系樹脂フィルム、シリコン系樹脂フィルム、ポリエチレン系樹脂フィルム、あるいは、ポリエステル系樹脂フィルムのいずれかであり、厚さは前記材料により任意に変えることができる。たとえば、フッ素系樹脂フィルムの場合、加熱温度は、３４０℃から３６０℃、１０分前後であり、この時の収縮率が４０％から５０％である。
【００１８】
（第３発明）
第３発明の便器装置は、前記熱収縮性樹脂フィルムが完全に便器部分を覆うことができない場合に熱溶融性樹脂フィルムを熱で溶融させて便器の上部に接着させることにより、ボウル内部の水を蒸発させないようにするものである。前記熱溶融性樹脂フィルムは、所望の場所に積層されて設けられている。前記熱溶融性樹脂フィルムは、熱溶融性樹脂からなる接着性のあるものによって代えることも可能である。
【００１９】
（第４発明）
第４発明の熱溶融性樹脂フィルムは、ポリエチレン系樹脂フィルム、ポリプロピレン系樹脂フィルム、あるいは、ポリアミド系樹脂フィルムの少なくとも一つであり、熱収縮性樹脂フィルムの種類、厚さ等を選択する。前記熱溶融性樹脂フィルムは、前記熱収縮性樹脂フィルムが便器装置を覆う際に、高熱を要するため、便器装置と接着する際に、取り剥がし易い状態に温度管理することが必要である。
【００２０】
（第５発明）
第５発明における便器装置からの異臭発生防止方法は、便器装置が設置された後、長期間にわたって、使用されない場合、他の家の汚水排出管、その他の配管からの異臭の発生を防止するものである。熱収縮性樹脂フィルムは、前記便器装置の上部を覆うことができる形状より大きめに予め成形される。前記便器装置は、通常の工程によって作製される。前記熱収縮性樹脂フィルムの成形と前記便器装置は、別々に作製されるため、時間的にいずれが先であってもよい。
【００２１】
次に、作製された便器装置の上部に前記熱収縮性樹脂フィルムが被せられる。前記熱収縮性樹脂フィルムは、前記便器装置との間が密閉されるように、所定位置において、たとえば、熱風ガンによって熱が加えられる。前記熱収縮性樹脂フィルムによって覆われた便器装置は、戸建または集合住宅に運搬された後、所定の場所に設置される。
【００２２】
前記便器装置は、設置された後、前記熱収縮性樹脂フィルムが覆われた状態のまま、水を流して試験が行われる。前記住宅は、販売された後、買い手が付いた際に、前記便器装置を覆っている熱収縮性樹脂フィルムを外した後に使用を開始する。前記住宅は、長期間売れずに放置されていても、買い手が見に来た場合、あるいは、使用を開始する場合、トラップ内の水が蒸発することがないため、汚水排出管等からの異臭が出ない。
【実施例】
【００２３】
図１は本発明の実施例である異臭の発生を防止する便器装置を説明するための概略斜視図である。図２は本発明の実施例で、異臭の発生を防止する便器装置の概略断面図である。図１および図２おいて、便器装置１１は、便器本体１２と、前記便器本体１２の上部を囲むように一体に成形されているリム部１３と、前記便器本体１２内部に成形されているボウル部１４と、前記リム部１３を覆う便座１５と、前記便座１５を覆う蓋体１６と、前記リム部１３を覆う熱収縮性樹脂フィルム１７と、前記ボウル１４に連通するＵ字形トラップ排水部１８とから少なくとも構成されている。
【００２４】
前記便器本体１２は、上部において、外側に膨出するようにリム部１３が成形されている。前記リム部１３の上部には、開閉可能な便座１５および蓋体１６が設けられている。また、前記リム部１３は、前記ボウル部１４内を洗浄する水が吐き出す環状吐出口１３１が設けられている。さらに、前記ボウル部１４は、便および／または尿を排出する水を流す配管１２１および吐き出すジェット排水部１２２が設けられている。
【００２５】
前記ボウル部１４には、常時水１４１が溜まるように、トラップ排水部１８が成形されている。前記便器装置１１は、前記便座１５および／または蓋体１６を上げて小用を行うか、あるいは、前記便座１５を下げて大用を行う。前記便器装置１１は、住宅の建設時に、設置され、配管１２１が水道管（図示されていない）に接続された後、試験を行う。前記試験を行った際の前記ボウル部１４の内部に残された水１４１は、排水管を介して来る臭いを遮断する。
【００２６】
本発明は、前記便器装置１１を設置し、試験を行った後に、長期間にわたって使用しない場合の前記ボウル部１４内の水１４１が蒸発しないように熱収縮性樹脂フィルム１７を前記リム部１３に密着させる。前記熱収縮性樹脂フィルム１７は、便器本体１２を覆う形状であれば、特に限定されい。たとえば、図１および図２に示す便器本体１２の場合、前記熱収縮性樹脂フィルム１７は、リム部１３を覆うとともに、リム部１３の便座１５側の上部に密着する形状に予め成形しておく。
【００２７】
前記熱収縮性樹脂フィルム１７は、側部１７２、１７２′、１７２″が設けられている。前記熱収縮性樹脂フィルム１７の材質は、たとえば、フッ素系樹脂フィルム、シリコン系樹脂フィルム、ポリエチレン系樹脂フィルム、あるいは、ポリエステル系樹脂フィルム等がある。また、前記熱収縮性樹脂フィルム１７の厚さは、前記材料により任意に変えることができる。たとえば、前記フッ素系樹脂フィルム１７は、熱風ガン（図示されていない）によって、加熱温度を３４０℃から３６０℃にして、１０分間とすることで、収縮率が４０％から５０％となった。
【００２８】
前記熱収縮性樹脂フィルム１７は、便器装置１１の形状によって、完全に便器本体１２のリム部１３部分を覆うことができない場合がある。このような場合、前記熱収縮性樹脂フィルム１７は、一部に熱溶融性樹脂フィルム（図示されていない）を予め積層させておき、前記熱風ガンの熱により、前記リム部１３の上部に接着させることができる。また、前記熱溶融性樹脂フィルムの代わりに、熱により接着が可能であり、剥がし易い樹脂性接着剤により密閉を向上させることができる。前記熱溶融性樹脂フィルムは、ポリエチレン系樹脂フィルム、ポリプロピレン系樹脂フィルム、あるいは、ポリアミド系樹脂フィルムの少なくとも一つを使用することができる。
【００２９】
以上、本発明の実施例を詳述したが、本発明は、前記本実施例に限定されるものではなく、特許請求の範囲に記載されている事項を逸脱することがなければ、種々の設計変更を行うことが可能である。たとえば、特許請求の範囲および発明の詳細な説明における、便器装置の形状は、市販のいずれのものであっても差し支えないことはいうまでもないことである。また、本実施例における熱溶融性樹脂フィルムは、合成樹脂製の材料で説明したが、ゴム系部材に変えることができることはいうまでもない。
【図面の簡単な説明】
【００３０】
【図１】本発明の実施例である異臭の発生を防止する便器装置を説明するための概略斜視図である。（実施例１）
【図２】本発明の実施例で、異臭の発生を防止する便器装置の概略断面図である。
【符号の説明】
【００３１】
１１・・・便器装置
１２・・・便器本体
１２１・・・配管
１２２・・・ジェット排水部
１３・・・リム部
１３１・・・環状吐出口
１４・・・ボウル部
１４１・・・水
１５・・・便座
１６・・・蓋体
１７・・・熱収縮性樹脂フィルム
１８・・・トラップ排水部
１８１・・・汚水排出管
【図１】
2010150893.tif 000003
【図２】
2010150893.tif 000004